(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、壁面に固定される２つ以上のブラケット１０４、１０６と、ブラケットに着脱可能に取り付けられる棚板１０８とを有し、ブラケットには、角度の異なる複数のレール１３４、１３６が設けられていて、棚板には、ブラケットのレールに嵌合する長尺状の溝１２０が設けられていることを特徴とする。【選択図】図６
2018201711.tif 000002
【特許請求の範囲】
【請求項１】
壁面に取り付けられる棚であって、
壁面に固定される２つ以上のブラケットと、
前記ブラケットに着脱可能に取り付けられる棚板とを有し、
前記ブラケットには、角度の異なる複数のレールが設けられていて、
前記棚板には、前記ブラケットの前記レールに嵌合する長尺状の溝が設けられていることを特徴とする棚。
【請求項２】
前記レールの１つは、水平に近い角度であり、
前記レールの１つは、壁から離れる方向である手前側に向かって上方に大きく傾斜していることを特徴とする請求項１に記載の棚。
【請求項３】
前記レールの１つは、壁側に向かって上方に大きく傾斜していることを特徴とする請求項１または２に記載の棚。
【請求項４】
前記棚板の壁側に、転落防止用の保持部材が設けられていることを特徴とする請求項１から３のいずれか１項に記載の棚。
【請求項５】
前記ブラケットのレールの壁側の端には、溝の壁側の端部に当接する当接部が設けられていることを特徴とする請求項１から４のいずれか１項に記載の棚。
【請求項６】
壁面に取り付けられる棚であって、
壁面に固定される２つ以上のブラケットと、
前記ブラケットに着脱可能に取り付けられる棚板とを有し、
前記ブラケットには、壁から離れる方向である手前側に向かって上方に傾斜するレールが１つ設けられていて、
前記棚板には、前記レールに嵌合する長尺状の溝を有する脚部が設けられていて、
前記脚部は、前記棚板に対して前記レールの傾斜角と同じ角度に傾斜していて、前記レールに前記溝を嵌合可能であることを特徴とする棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、壁面に固定される２つ以上のブラケットと、ブラケットに着脱可能に取り付けられる棚板とを有し、ブラケットには、角度の異なる複数のレールが設けられていて、棚板には、ブラケットのレールに嵌合する長尺状の溝が設けられていることを特徴とする。
【０００８】
上記構成によれば、壁面に固定されたブラケットは、角度の異なる複数のレールを有している。一方、棚板は、ブラケットのレールに溝を嵌合させることで、ブラケットに着脱可能に取り付けられる。したがって、棚板の溝と嵌合するレールを異ならせるだけで、壁面に対する棚板の角度を容易に切り替えることができ、利便性を向上できる。また、機械的な角度調整機構がないため、簡潔な外観で高い美観を備えることができる。
【０００９】
上記のレールの１つは、水平に近い角度であり、レールの１つは、壁から離れる方向である手前側に向かって上方に大きく傾斜しているとよい。上記構成によれば、水平に近い角度のレールに嵌合すればほぼ水平となり、大きく傾斜したレールに嵌合すれば棚板も大きな傾斜角で支持される。なお、「水平に近い角度」とは、ほぼ水平であるが、水切りのために壁側に向かって若干下がる角度である。
【００１０】
上記のレールの１つは、壁側に向かって上方に大きく傾斜しているとよい。これにより、ブラケットには、３つのレール、すなわち水平に近い角度のレール、手前側に向かって上方に大きく傾斜した角度のレール、さらには壁側に向かって上方に大きく傾斜した角度のレールが設けられている。このため、ブラケットの３つのレールのいずれかで棚板を支持することで、壁面に対する棚板の角度を３つの角度のいずれかに容易に切り替えることができる。
【００１１】
上記の棚板の壁側に、転落防止用の保持部材が設けられているとよい。これにより、棚板がブラケットにほぼ水平に支持されている場合、保持部材が棚板の上側に配置されれば、棚板と壁との隙間から物品が転落することを防止することができる。保持部材が棚板の下側に配置されれば、保持部材にフック等をかけて任意の物品を吊下げ収納することができる。また棚板が手前側に向かって上方に傾斜するようにブラケットに支持されている場合、保持部材を上側（壁側）に位置させれば、保持部材によって物品の底を支持することができる。これにより物品を斜めに保持して、水切りを行うことができる。さらに棚板が壁側に向かって上方に傾斜するようにブラケットに支持されている場合、保持部材を上側（手前側）に位置させれば、保持部材は各種物品を斜めに収納あるいは陳列するとともに、水切りも行うことができる。
【００１２】
上記のブラケットのレールの壁側の端には、溝の壁側の端部に当接する当接部が設けられているとよい。これにより、ブラケットに棚板を取り付ける際、溝の壁側の端部をブラケットの当接部に当接するまで嵌合させることで、溝の壁側の端部の位置が規制され、ブラケットに棚板を安定して取り付けることができる。
【００１３】
本発明にかかる棚の他の代表的な構成は、壁面に取り付けられる棚であって、壁面に固定される２つ以上のブラケットと、ブラケットに着脱可能に取り付けられる棚板とを有し、ブラケットには、壁から離れる方向である手前側に向かって上方に傾斜するレールが１つ設けられていて、棚板には、レールに嵌合する長尺状の溝を有する脚部が設けられていて、脚部は、棚板に対してレールの傾斜角と同じ角度に傾斜していて、レールに溝を嵌合可能であることを特徴とする。
【００１４】
上記構成によれば、壁面に固定されたブラケットは、壁面に対して所定の傾斜角で傾斜した１つのレールを有している。一方、棚板は、棚板に対して傾斜した脚部を有し、脚部の溝をブラケットのレールに嵌合することで、ブラケットに着脱可能に取り付けられる。また脚部の傾斜角は、レールの傾斜角と同じ角度としている。このため、脚部が棚板に対して壁側に向かって下方に傾斜している状態で、脚部の溝をレールに嵌合させると、脚部の傾斜角とレールの傾斜角とが相殺され、棚板は、ブラケットに水平に支持可能となる。したがって、棚板の脚部の溝をブラケットのレールに嵌合するだけで、ブラケットに棚板を水平に取り付けることができる。また溝を有する脚部は、棚板に対して傾斜している部位であるので、清掃もし易い。
【発明の効果】
【００１５】
本発明によれば、壁面に対する棚板の角度を容易に切り替えることができ、利便性を向上できると共に、簡潔な外観で美観を向上させた棚を提供することができる。
【図面の簡単な説明】
【００１６】
【図１】本発明の第１実施形態における棚を示す図である。
【図２】棚の分解斜視図である。
【図３】ブラケットを拡大して示す図である。
【図４】壁固定部材を拡大して示す図である。
【図５】サイドキャップを拡大して示す図である。
【図６】棚が組み立てられる様子を示す図である。
【図７】図１の棚とは棚板の置き方を変えたスタイルの棚が組み立てられる様子を示す図である。
【図８】本発明の第２実施形態における棚を示す図である。
【図９】本発明の第３実施形態における棚を示す図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
（第１実施形態）
図１は、本発明の第１実施形態における棚１００を示す図である。図２は棚１００の分解斜視図である。図１に示す棚１００は、例えば浴室の壁面１０２などに取付けられ、各種物品を収納あるいは陳列するために用いられる。棚１００は、図２に示すように、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００１９】
また棚１００が取付けられる壁面１０２には、ブラケット１０４、１０６を取付け可能であって、同一の構造を有する２つの壁固定部材１１０が固定されている。つまりブラケット１０４、１０６は、壁固定部材１１０を介して図１に示す壁面１０２に取り付けられる。なおブラケット１０４、１０６は、左右対称の構造を有していて機能等が同様であるので、以下ではブラケット１０６の説明を適宜省略する。
【００２０】
棚板１０８には、図示のように、その側端１１２、１１４に沿って左右一対の２つのサイドキャップ１１６、１１８が取付けられている。サイドキャップ１１６、１１８には、同一の構造を有する長尺状の溝１２０がそれぞれ設けられている（図２および図７（ａ）参照）。
【００２１】
また棚板１０８の上面１２２のうち、壁面１０２から離れる方向である手前側には、側端１１２、１１４同士をつなぐ縁部１２４が形成されている。縁部１２４は、棚板１０８の上面１２２から上方に突出していて、棚板１０８に収納あるいは陳列された各種物品が手前側から転落することを防止する。
【００２２】
さらに棚板１０８には、サイドキャップ１１６、１１８を介して各種物品の転落防止用の保持部材であるパイプ１２６（図７（ａ）参照）が取付けられている。サイドキャップ１１６、１１８は、図７（ａ）に示すように、パイプ１２６を支持する柱状部材１２８、１３０を有する。パイプ１２６は、柱状部材１２８、１３０に支持されることで、棚板１０８の壁側に位置していて、さらに棚板１０８の下面１３２から離間している。
【００２３】
図３はブラケット１０４を拡大して示す図である。ブラケット１０４には、図３（ａ）に示すように、角度の異なる複数（ここでは、２つ）のレール１３４、１３６が設けられている。
【００２４】
レール１３４、１３６は、ブラケット１０４の側壁１３８にそれぞれ設けられている。レール１３４は、水平に近い角度で延びている。なお水平に近い角度とは、ほぼ水平であるが、水切りのために壁側に向かって若干下がる角度である。レール１３６は、手前側に向かって上方に大きく傾斜した角度で延びている。
【００２５】
またブラケット１０４には、水平に近い角度でリブが延びていて下面１４０を形成している。ブラケット１０４の壁側には、リブ１４２が上下方向に延びていて、壁固定部材１１０に取付けられる取付面１４４を形成している。取付面１４４には、図３（ｂ）に示すように、下方が開放された切欠部１４６が形成されている。切欠部１４６は、壁固定部材１１０の凹部１４８（図４（ｂ）参照）に嵌合可能である。
【００２６】
またブラケット１０４のレール１３４の壁側の端には、当接部１５０が位置している。当接部１５０は、サイドキャップ１１６、１１８の長尺状の溝１２０の壁側の端部１５２（図２および図５（ｂ）参照）に当接する。サイドキャップ１１６、１１８は、溝１２０の壁側の端部１５２をブラケット１０４のレール１３４、１３６に対して位置合わせした後、レール１３４、１３６のいずれかに溝１２０を嵌合させる（後述）。
【００２７】
図４は壁固定部材１１０を拡大して示す図である。壁固定部材１１０は、図４（ａ）に示すように、壁面１０２に接する土台部１５４と、土台部１５４の手前側に配置された固定部１５６と、土台部１５４と固定部１５６との間に形成された凹部１４８とを有する。
【００２８】
固定部１５６は、その内部に穴１５８、１６０が設けられている。壁固定部材１１０は、不図示のネジなどを穴１５８、１６０に挿通して壁面１０２に固定される。また固定部１５６には、図４（ａ）に示すキャップ１６２が手前側から被せられることで、その内部が視認されず、美観が損なわれない。
【００２９】
図４（ｂ）に示す壁固定部材１１０の凹部１４８は、テーパー状となっている。凹部１４８にブラケット１０４の切欠部１４６を上方から下方にスライドして係合させることにより、がたつきを防止できる。このようにして、ブラケット１０４は、壁固定部材１１０を介して壁面１０２に安定して固定される。
【００３０】
図５はサイドキャップ１１６を拡大して示す図である。なお以下では、サイドキャップ１１８については説明を適宜省略するが、サイドキャップ１１６と左右対称の構造を有していて機能等も同様である。
【００３１】
サイドキャップ１１６は、図５（ａ）に示すように、棚板１０８の側端１１２に接する側板１６４と、棚板１０８の下面１３２（図７（ａ）参照）を支持する支持部１６６と、上記のパイプ１２６を支持する柱状部材１２８とを有する。またサイドキャップ１１６の側板１６４には、図５（ｂ）に示すように、上記の長尺状の溝１２０が設けられている。溝１２０は、その壁側の端部１５２で開放され、手前側の端部１６８で閉じている。
【００３２】
図６は棚１００が組み立てられる様子を示す図である。まず、図６（ａ）に示すように、サイドキャップ１１６の溝１２０の壁側の端部１５２を、ブラケット１０４のレール１３４に対して位置合わせする。位置合わせの際、溝１２０の角度は、図６（ａ）に示すように、ブラケット１０４のレール１３４の角度に合わせて水平に近い角度とする。なおブラケット１０４は、壁固定部材１１０に取付けて壁面１０２に固定する。
【００３３】
つぎに、溝１２０の壁側の端部１５２をブラケット１０４のレール１３４に嵌合させる。続いて、溝１２０の壁側の端部１５２がブラケット１０４の当接部１５０に当接するまで、サイドキャップ１１６を押し込む。これにより、サイドキャップ１１６は、図６（ｂ）に示すように、ブラケット１０４のレール１３４に溝１２０が嵌合し、さらに壁側の端部１５２が当接部１５０に当接して位置規制される。
【００３４】
したがって棚１００では、図６（ｂ）に示すように棚板１０８をほぼ水平に支持可能となり、この場合に棚板１０８がブラケット１０４から脱落することを防止でき、ブラケット１０４に棚板１０８を安定して取り付けることができる。このため、棚１００では、棚板１０８に各種物品を安定して収納あるいは陳列できる（以下、フラットスタイルと称する）。
【００３５】
また棚１００では、棚板１０８を水平に支持した状態でパイプ１２６が棚板１０８の下側に配置されるので、パイプ１２６にフック等をかけて、各種物品を吊り下げることができ、利便性を高めることができる。
【００３６】
図７は、図１の棚１００とは棚板１０８の置き方を変えたスタイルの棚１００Ａが組み立てられる様子を示す図である。棚１００Ａでは、棚板１０８を左右反転させた状態でブラケット１０４、１０６に取り付ける。図６ではサイドキャップ１１６が図示されていたところ、図７（ｂ）では反対側のサイドキャップ１１８も図示されている。そして、ブラケット１０４のほぼ水平のレール１３４に代えて、傾斜したレール１３６にサイドキャップ１１８の溝１２０を嵌合して、ブラケット１０４に棚板１０８を取り付けている。
【００３７】
棚１００Ａを組み立てる場合、まず、図７（ａ）に示すように、サイドキャップ１１８に設けられた溝１２０の壁側の端部１５２を、ブラケット１０４のレール１３６に対して位置合わせする。位置合わせの際、溝１２０の角度は、図７（ａ）に示すように、ブラケット１０４のレール１３６の角度に合わせて手前側に向かって上方に大きく傾斜している角度とする。
【００３８】
つぎに、溝１２０の壁側の端部１５２をブラケット１０４のレール１３６に嵌合させる。続いて、溝１２０の壁側の端部１５２がブラケット１０４の下面１４０に当接するまで、サイドキャップ１１８を押し込む。これにより、サイドキャップ１１８は、図７（ｂ）に示すように、ブラケット１０４のレール１３６に溝１２０が嵌合し、さらに壁側の端部１５２が下面１４０に当接して位置規制される。
【００３９】
したがって棚１００Ａでは、図７（ｂ）に示すように棚板１０８を手前側に向かって上方に傾斜するように支持可能となり、この場合にブラケット１０４に棚板１０８を安定して取り付けることができる。
【００４０】
また棚１００Ａでは、パイプ１２６が棚板１０８の上側にある。パイプ１２６が各種物品１７０の底１７２を受けることができるため、各種物品１７０を収納するだけでなく水切りを行うことができる（以下、水切りスタイルと称する）。
【００４１】
（第２実施形態）
図８は、本発明の第２実施形態における棚２００を示す図である。棚２００は、左右一対のブラケット２０２の側壁２０４に、上記レール１３４、１３６に加え、レール２０６が設けられている点で、上記ブラケット１０４、１０６を有する棚１００と異なる。
【００４２】
レール２０６は、レール１３４、１３６よりも手前側に位置していて、壁側に向かって上方に大きく傾斜している。ブラケット２０２は、これら３本のレール１３４、１３６、２０６を設けることで、例えば図６（ａ）に示すブラケット１０４に比べると、側壁２０４および下面２０８が手前側に延長された形状を有する。
【００４３】
棚２００では、ブラケット２０２に３本のレール１３４、１３６、２０６が設けられていることで、上記フラットスタイル、水切りスタイルに加え、水切りディスプレイスタイルの棚も得ることができる。以下具体的に説明する。
【００４４】
フラットスタイルにおいては、サイドキャップ１１６に設けられた溝１２０の壁側の端部１５２を、ブラケット２０２のレール１３４に対して位置合わせして、水平に近い角度でレール１３４に接近させる（矢印Ａ参照）。続いて溝１２０の壁側の端部１５２がブラケット２０２の当接部１５０に当接するまで、サイドキャップ１１６を押し込む。このようにして、棚２００は、棚板１０８をほぼ水平に支持したフラットスタイルとなり（図６（ｂ）参照）、棚板１０８に各種物品を安定して収納あるいは陳列できる。
【００４５】
水切りスタイルにおいては、サイドキャップ１１８に設けられた溝１２０の壁側の端部１５２を、ブラケット２０２のレール１３６に対して位置合わせして、手前側に向かって上方に大きく傾斜している角度でレール１３６に接近させる（矢印Ｂ参照）。続いて溝１２０の壁側の端部１５２がブラケット２０２の下面２０８に当接するまで、サイドキャップ１１８を押し込む。このようにして、棚２００は、棚板１０８を手前側に向かって上方に傾斜するように支持した水切りスタイルとなり（図７（ｂ）参照）、棚板１０８に各種物品を収納するだけでなく、パイプ１２６が各種物品の底を受けることで水切りも行うことができる。
【００４６】
水切りディスプレイスタイルにおいては、サイドキャップ１１６に設けられた溝１２０の壁側の端部１５２を、ブラケット２０２のレール２０６に対して位置合わせして、壁側に向かって上方に大きく傾斜している角度でレール２０６に接近させる（矢印Ｃ参照）。続いて溝１２０の壁側の端部１５２がブラケット２０２の下面２０８に当接するまで、サイドキャップ１１６を押し込む。このようにして、棚２００は、棚板１０８を壁側に向かって上方に傾斜するように支持した水切りディスプレイスタイルとなる。棚２００は、この状態でパイプ１２６を用いて各種物品を斜めに収納あるいは陳列するとともに、水切りも行うことができる。
【００４７】
なおブラケット２０２は、３本のレール１３４、１３６、２０６を設けるようにしたが、これに限られず、レール１３４、２０６のみ、あるいは、レール１３６、２０６のみを設けてもよい。レール１３４、２０６のみを設けた場合には、サイドキャップ１１６を矢印Ａ、Ｃに沿ってレール１３４、２０６に押し込むことで、棚２００をフラットスタイル、水切りディスプレイスタイルとすることができる。またレール１３６、２０６のみを設けた場合には、サイドキャップ１１８を矢印Ｂに沿ってレール１３６に押し込むことで、棚２００を水切りスタイルとし、サイドキャップ１１６を矢印Ｃに沿ってレール２０６に押し込むことで、棚２００を水切りディスプレイスタイルとすることができる。
【００４８】
このように第１および第２実施形態では、ブラケット１０４、１０６、２０２に角度の異なる複数のレール１３４、１３６、２０６が設けられていて、これらのレール１３４、１３６、２０６に嵌合可能な溝１２０がサイドキャップ１１６、１１８に設けられている。したがって、第１および第２実施形態によれば、溝１２０と嵌合するレール１３４、１３６、２０６を異ならせるだけで、壁面１０２に対する棚板１０８の角度を容易に切り替えることができ、利便性を向上できる。さらに、機械的な角度調整機構がないため、簡潔な外観で高い美観を備えた棚１００、１００Ａ、２００を得ることができる。
【００４９】
（第３実施形態）
図９は、本発明の第３実施形態における棚３００を示す図である。棚３００は、左右一対のブラケット３０２の側壁３０４にレール３０６が１つのみ設けられている点、サイドキャップ３０８に脚部３１０が設けられている点で、上記棚１００、１００Ａ、２００と異なる。
【００５０】
ブラケット３０２のレール３０６は、手前側に向かって傾斜角θａで上方に大きく傾斜している。サイドキャップ３０８の脚部３１０は、棚板１０８に対して傾斜角θａ、すなわちブラケット３０２のレール３０６の傾斜角θａと同じ角度で下方に傾斜している。脚部３１０に設けられた長尺状の溝３１２も、脚部３１０と同様に棚板１０８に対して傾斜角θａで下方に傾斜している。
【００５１】
棚３００を組み立てる場合、まず、図９（ａ）に示すように、棚板１０８に対して傾斜角θａで下方に傾斜した脚部３１０の溝３１２の壁側の端部３１４を、ブラケット３０２のレール３０６に対して位置合わせする。
【００５２】
つぎに、溝３１２の壁側の端部３１４をブラケット３０２のレール３０６に嵌合させる。続いて、溝３１２の壁側の端部３１４がブラケット３０２の下面３１６に当接するまで、サイドキャップ３０８の脚部３１０を押し込む。
【００５３】
これにより、サイドキャップ３０８の脚部３１０は、図９（ｂ）に示すように、ブラケット３０２のレール３０６に溝３１２が嵌合し、さらに壁側の端部３１４が下面３１６に当接して位置規制される。このようにして、サイドキャップ３０８に設けられた脚部３１０は、ブラケット３０２のレール３０６に嵌合して、ブラケット３０２に安定して取り付けられる。
【００５４】
ここで図９（ａ）に示したように、ブラケット３０２のレール３０６が傾斜角θａで上方に傾斜し、サイドキャップ３０８の脚部３１０の溝３１２がレール３０６と同じ傾斜角θａで下方に傾斜している。したがって、棚３００では、脚部３１０の溝３１２をレール３０６に嵌合させると、図９（ｂ）に示すように溝３１２の傾斜角θａとレール３０６の傾斜角θａとが相殺され、棚板１０８がブラケット３０２に水平に支持可能となる。
【００５５】
したがって棚３００は、フラットスタイルとなり、棚板１０８に各種物品を安定して収納あるいは陳列できるとともに、棚板１０８の下側に配置されたパイプ１２６にフック等をかけて、各種物品を吊り下げることができ、利便性を高めることができる。また溝３１２を有する脚部３１０は、棚板１０８に対して傾斜している部位であるので、清掃もし易い。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、壁面に取り付けられる棚に利用することができる。
【符号の説明】
【００５８】
１００、１００Ａ、２００、３００…棚、１０２…壁面、１０４、１０６、２０２、３０２…ブラケット、１０８…棚板、１１０…壁固定部材、１１２、１１４…棚板の側端、１１６、１１８、３０８…サイドキャップ、１２０、３１２…溝、１２２…棚板の上面、１２４…棚板の縁部、１２６…パイプ、１２８、１３０…柱状部材、１３２…棚板の下面、１３４、１３６、２０６、３０６…レール、１３８、２０４、３０４…ブラケットの側壁、１４０、２０８、３１６…ブラケットの下面、１４２…ブラケットのリブ、１４４…取付面、１４６…切欠部、１４８…壁固定部材の凹部、１５０…ブラケットの当接部、１５２、３１４…溝の壁側の端部、１５４…土台部、１５６…固定部、１５８、１６０…穴、１６２…キャップ、１６４…サイドキャップの側板、１６６…支持部、１６８…溝の手前側の端部、１７０…各種物品、１７２…各種物品の底、３１０…脚部
【図１】
2018201711.tif 000003
【図２】
2018201711.tif 000004
【図３】
2018201711.tif 000005
【図４】
2018201711.tif 000006
【図５】
2018201711.tif 000007
【図６】
2018201711.tif 000008
【図７】
2018201711.tif 000009
【図８】
2018201711.tif 000010
【図９】
2018201711.tif 000011